(57)【要約】  本発明は電話機に関するもので、たとえ電話機が小型化したとしても、電話機を落下させないようして、通話することができることを目的とするものである。  そしてこの目的を達成するために本発明は、本体ケース５と、この本体ケース５の表面側に設けたマイク８、およびレシーバ９を備える。表示部７は、レシーバ９およびマイク８の間に配置される。これらマイク８、レシーバ９、および表示部７は、本体ケース５、５０、５１の前面に設けられている。本体ケース５、５０、５１の背面には、電話機の落下を防止するすべり防止部１３が設けられる。すべり防止部１３は、本体ケース５、５０、５１の背面において表示部７の反対側に配置されている。
2011010451.tif 000002
【特許請求の範囲】
【請求項１】
音声通話を行う電話機であって、
前面および背面を有する本体ケースを備え、
前記前面には、音声の入力を受け付けるレシーバと、音声を出力するマイクと、画像を表示する表示部とが設けられ、
前記背面には、当該電話機の落下を防止するすべり防止部が設けられ、
前記表示部は、前記レシーバおよび前記マイクの間に配置され、
前記すべり防止部は、前記背面において前記表示部の反対側に配置されている電話機。
【請求項２】
前記すべり防止部は、前記本体ケースの背面に形成された装着部に、前記すべり防止部を着脱自在に装着した構成としており、当該装着状態において、前記すべり防止部の外周面は、前記本体ケースの背面から、前記本体ケース内に突入するように配置された、請求項１に記載の電話機。
【請求項３】
前記本体ケースの背面に形成された装着部は、凹部状に形成されており、当該凹部内に、前記すべり防止部を装着した請求項２に記載の電話機。
【請求項４】
前記凹部の外周面は、前記本体ケースの外周方向に沿って傾斜している請求項３に記載の電話機。
【請求項５】
前記すべり防止部の外周面は、前記本体ケースの外周方向に沿って傾斜している請求項４に記載の電話機。
【請求項６】
前記本体ケースの背面において、前面側に接近する湾曲面を形成した請求項１ないし５のいずれか１項に記載の電話機。
【請求項７】
前記すべり防止部は、逆Ｕ字状である請求項１ないし６のいずれか１項に記載の電話機。
【請求項８】
前記すべり防止部は、本体部と、前記本体部から延長した２つの延長部とにより逆Ｕ字状に構成され、前記延長部は、前記本体ケースの外周方向に沿って傾斜している請求項７に記載の電話機。
【請求項９】
前記すべり防止部の本体部には、前記本体ケースと結合可能な結合手段が設けられている請求項８に記載の電話機。
【請求項１０】
前記結合手段は、前記本体部のみに設けられている請求項９に記載の電話機。
【請求項１１】
前記本体ケースの背面には、他のレシーバが設けられている請求項８ないし１０のいずれか１項に記載の電話機。
【請求項１２】
前記すべり防止部は、可撓性の部材である請求項１ないし１１のいずれか１項に記載の電話機。
【請求項１３】
前記すべり防止部は、外壁面と、前記外壁面の裏面に設けられた支持部とを有し、
前記本体ケースの背面は、前記すべり防止部を収納し、かつ可動自在に前記すべり防止部の前記支持部を装着する凹部を有し、
前記支持部は、前記すべり防止部の可動方向に沿って前記外壁面から異なる高さを有する請求項１ないし１２のいずれか１項に記載の電話機。
【請求項１４】
前記凹部は、前記本体ケースの背面から前記外壁面が突出しないように前記すべり防止部を収納する請求項１３に記載の電話機。
【請求項１５】
前記凹部は、前記すべり防止部が直線移動自在になるように、前記支持部を装着する請求項１３または１４に記載の電話機。
【請求項１６】
前記凹部は、前記支持部を装着するレールを有する請求項１５に記載の電話機。
【請求項１７】
前記凹部は、前記すべり防止部が回動自在になるように、前記支持部を装着する請求項１３または１４に記載の電話機。
【請求項１８】
前記すべり防止部は、前記外壁面の裏面に設けられた回転軸を有する請求項１７記載の電話機。
【発明の詳細な説明】
【技術分野】
【０００１】
本発明は、例えばメモを取るために、耳と肩の間に挟んで使用するときに好適な電話機に関するものである。
【背景技術】
【０００２】
従来の、この種の電話機では、本体ケースの裏面側に、すべり防止手段として、ゴム板を固定したものがある（例えば特許文献１）。【０００３】
すなわち、本体ケースの裏面側に、ゴム板を固定しておけば、例えばメモを取るために、この本体ケースを耳と肩の間に挟めば、ゴム板の摩擦力により、電話機が落下しにくくなるのである。
【先行技術文献】
【特許文献】
【０００４】
【特許文献１】米国特許第５１１５４６５号明細書
【発明の概要】
【発明が解決しようとする課題】
【０００５】
近年、携帯電話やコードレス電話の子機などの電話機は、小型化の傾向にある。小型の電話機は、一般に表示部が設けられているため、薄型なものが多い。このような電話機では、すべり防止手段を単に本体ケースの裏面側に設けるだけでは、耳と肩で挟み込みにくく、容易に保持できない不都合があった。【０００６】
そこで本発明は、たとえ電話機が小型化したとしても、電話機を落下させないようして、通話することができることを目的とするものである。
【課題を解決するための手段】
【０００７】
そしてこの目的を達成するために本発明は、音声通話を行う電話機であって、前面および背面を有する本体ケースを備え、前面には、音声の入力を受け付けるレシーバと、音声を出力するマイクと、画像を表示する表示部とが設けられ、背面には、当該電話機の落下を防止するすべり防止部が設けられ、表示部は、レシーバおよびマイクの間に配置され、すべり防止部は、背面において表示部の反対側に配置されている電話機である。
【発明の効果】
【０００８】
以上のように本発明は、すべり防止部が、本体ケースの背面において、表示部の反対側に設けられるので、電話機を顔全体と肩でしっかり保持することが出来る。これにより、たとえ電話機が小型化したとしても、電話機を落下させないようして、通話することができる。
【図面の簡単な説明】
【０００９】
【図１】実施の形態１における電話機の使用状態を示す斜視図
【図２】実施の形態１における電話機の正面図
【図３】（ａ）実施の形態１における電話機の背面図、（ｂ）すべり防止部を取り外した場合の図３（ａ）のＢ−Ｂ線の断面図、（ｃ）すべり防止部を取り付けた場合の図３（ａ）のＢ−Ｂ線の断面図、（ｄ）図３（ｃ）のＤ部分拡大断面図
【図４】実施の形態１における電話機の側断面図（図２のＡ−Ａ線の断面図）
【図５】実施の形態１における、すべり防止部を取り外した場合の電話機の側面図
【図６】実施の形態１における電話機の背面側の斜視図
【図７】（ａ）実施の形態１におけるすべり防止部の正面図、（ｂ）実施の形態１におけるすべり防止部の背面図、（ｃ）実施の形態１におけるすべり防止部の表面側斜視図、（ｄ）実施の形態１におけるすべり防止部の背面側斜視図、（ｅ）図７（ａ）のＥ−Ｅ線の断面図、（ｆ）図７（ｂ）のＦ−Ｆ線の断面図、（ｇ）実施の形態１におけるすべり防止部の側面図
【図８】実施の形態２における電話機の正面図
【図９】実施の形態２における電話機の背面図
【図１０】実施の形態２における電話機の側断面図（図８のＧ−Ｇ線の断面図）
【図１１】実施の形態２における、すべり防止部を取り外した場合の電話機の背面側の斜視図
【図１２】実施の形態２における、すべり防止部を取り外した場合の電話機の側面図
【図１３】（ａ）実施の形態２におけるすべり防止部の正面図、（ｂ）実施の形態２におけるすべり防止部の背面図、（ｃ）実施の形態２におけるすべり防止部の背面側の斜視図、（ｄ）実施の形態２における、凹部に装着したすべり防止部の断面図（図９のＨ−Ｈ線の断面図）、（ｅ）実施の形態２におけるすべり防止部の断面図（図１３（ｂ）のＪ−Ｊ線の断面図）
【図１４】実施の形態２におけるすべり防止部の側断面図（図１３（ｂ）のＴ−Ｔ線の断面図）
【図１５】実施の形態２における、すべり防止部を移動させた場合の電話機の背面側の斜視図
【図１６】実施の形態２における、すべり防止部を移動させた場合の電話機の側面図
【図１７】実施の形態２における、すべり防止部を移動させた場合の電話機の側断面図（図８のＧ−Ｇ線の断面図）
【図１８】（ａ）実施の形態２における電話機の拡大一部抜粋背面図、（ｂ）すべり防止部を移動させた場合の、凹部に装着したすべり防止部の断面図（図１８（ａ）のＬ−Ｌ線の断面図）、およびＴ部の拡大図
【図１９】実施の形態３における電話機の正面図
【図２０】実施の形態３における電話機の背面図
【図２１】実施の形態３における電話機の側断面図（図１９のＭ−Ｍ線の断面図）
【図２２】実施の形態３における、すべり防止部を取り外した場合の電話機の背面側の斜視図
【図２３】実施の形態３における、すべり防止部を取り外した場合の電話機の側面図
【図２４】（ａ）実施の形態３におけるすべり防止部の正面図、（ｂ）実施の形態３におけるすべり防止部の背面図、（ｃ）実施の形態３におけるすべり防止部の断面図（図２４（ｂ）のＰ−Ｐ線の断面図）、（ｄ）実施の形態３におけるすべり防止部の断面図（図２４（ｂ）のＱ−Ｑ線の断面図）、（ｅ）実施の形態３における、凹部に装着したすべり防止部の断面図（図２０のＮ−Ｎ線の断面図）
【図２５】実施の形態３における、すべり防止部の背面側の斜視図
【図２６】実施の形態３における、回転方向を示した電話機の背面図
【図２７】実施の形態３における、すべり防止部を回転させた場合の電話機の背面図
【図２８】実施の形態３における、すべり防止部を回転させた場合の電話機の背面側の斜視図
【図２９】実施の形態３における、すべり防止部を回転させた場合の電話機の側面図
【図３０】実施の形態３における、すべり防止部を回転させた場合の電話機の側断面図（図２７のＳ−Ｓ線の断面図）
【発明を実施するための形態】
【００１０】
以下、本発明の一実施形態を、添付図面を用いて説明する。
（実施の形態１）
【００１１】
図１は、使用者１が、例えばメモを取りながら通話をしている状態を示し、このときには本発明の一実施形態にかかる電話機２を、耳３と肩４の間に挟んで使用している。
【００１２】
電話機２の構造は図２〜図７（ａ）〜（ｇ）に示すような構造となっており、このうち図２、図３（ａ）から理解されるように、本体ケース５は上下方向への略長方形状としている。
【００１３】
そして、この本体ケース５の表面側の下方にはキー操作部６、上方には表示部７、またキー操作部６の下方にはマイク８、表示部７の上方にはレシーバ９がそれぞれ配置されている。
【００１４】
また、長方形状となった本体ケース５の裏面側の下方には電源部１０が設けられ、さらに長方形状となった本体ケース５の裏面側の中心よりも上方には、すべり防止手段１１が設けられ、上述した電話機２を、耳３と肩４の間に挟んで使用している状態では、このすべり防止手段１１が肩４に接した状態となっている。
【００１５】
すべり防止手段１１は、図５、図６のごとく本体ケース５の裏面側に装着部として設けた凹部１２内に、可撓性（一例としてゴム製）のすべり防止部１３を、着脱自在に装着した構成となっている。
【００１６】
ここで先ず本体ケース５の裏面側の形状について説明すると、この本体ケース５の裏面側においては、図４〜図６からも理解されるように、長手方向の中央部分から上方側には、上方ほど表面側に接近し、またこの長手方向に直交する方向も左右方向に進むほど表面側に接近する湾曲面１４が形成されている。
【００１７】
次に、すべり防止部１３は、図６、図７（ａ）〜（ｇ）から理解されるように、下方側に開口がある逆Ｕ字状とすべく、上方側の本体部１３ａと、この本体部１３ａの下端両側から下方に延長した２本の延長部１３ｂとにより構成している。
【００１８】
つまり、この様に逆Ｕ字状とすることで、下端側（１本ごとの延長部１３ｂ）は、上方側（本体部１３ａ）よりも幅を狭くし、これによりすべり防止部１３の取り外しときには、延長部１３ｂを変形させ、容易にすべり防止部１３の取り外しができるようにしている。
【００１９】
また、このように逆Ｕ字状となったすべり防止部１３を装着する上記凹部１２も、図６のごとく逆Ｕ字状となっており、すべり防止部１３の両延長部１３ｂ間に位置する本体ケース５の裏面側には、例えば留守電話再生のためのレシーバ１５を配置している。
【００２０】
以上のような配置関係において、すべり防止部１３の上方側の本体部１３ａの裏面側は本体ケース５への結合手段の配置領域となっており、具体的には図７（ａ）、（ｄ）に示すように、結合手段としての三つの突起１３ｃが、上方が頂点となる三角形状に配置されている。
【００２１】
また、すべり防止部１３の延長部１３ｂは、本体ケース５への結合手段の非配置領域とし、取り外しときの変形が行いやすい状態としている。
【００２２】
さらに、これに対応するように本体ケース５の凹部１２内にも、図６に示すように、結合手段としての三つの凹部１２ａが、上方が頂点となる三角形状に配置されている。
【００２３】
さて、このような構造となったすべり防止部１３は、上述のように凹部１２内に装着され、このときすべり防止部１３の結合手段としての三つの突起１３ｃを、凹部１２内の、結合手段としての三つの凹部１２ａに、突起１３ｃの弾性を利用して押し込み、これにより図３（ａ）〜（ｄ）のごとく装着が完了する。
【００２４】
ここで重要なことは、すべり防止部１３の外周面、具体的には本体部１３ａ、延長部１３ｂとも、その全ての外周面の下端が図３（ａ）〜（ｄ）からも理解されるように、本体ケース５の裏面側の面よりも、この本体ケース５内に突入配置されているということである。
【００２５】
つまり、すべり防止部１３に汚れや破損等が発生したときには、すべり防止部１３の交換を行うことになるが、その交換時には、この交換が簡単に行え、しかもそれ以外の通常使用時には不用意に外れないようにすることが重要となる。
【００２６】
そこで、本実施形態では、可撓性のすべり防止部１３を、凹部１２内に着脱自在に装着している。
【００２７】
このため、すべり防止手段に汚れや破損等が発生したときには、すべり防止部１３の延長部１３ｂの下端側を本体ケース５の長手方向の中心軸（図３（ａ）の５ａ）方向に、例えば指で押せば、その可撓性により、延長部１３ｂが容易に変形し、先ずはこの延長部１３ｂが凹部１２外へと外れる。
【００２８】
そしてこの状態になると、今度は凹部１２外に外れた延長部１３ｂを指でつまんで本体ケース５の外方に引っ張れば、上述したすべり防止部１３の結合手段としての三つの突起１３ｃの弾性変形により、凹部１２内の、結合手段としての三つの凹部１２ａから、簡単に外れ、これにより本体ケース５の凹部１２（装着部）から、すべり防止部１３を簡単に取り外すことができる。
【００２９】
また、新たに装着するすべり防止部１３も、その可撓性を利用し、変形させながら、本体ケース５の凹部１２（装着部）内に簡単に装着することができるが、この装着時には先ず、すべり防止部１３の結合手段としての三つの突起１３ｃを弾性変形させながら、凹部１２内の、結合手段としての三つの凹部１２ａに押し込み結合し、次に延長部１３ｂを凹部１２内に押し込む。
【００３０】
このように、すべり防止部１３に汚れや破損等が発生したときには、このすべり防止部１３の可撓性を利用して、その交換を簡単に行うことができる。
【００３１】
ここで重要なことは、上述したように、すべり防止部１３の外周面、具体的には本体部１３ａ、延長部１３ｂとも、その全ての外周面の下端が図３（ａ）〜（ｄ）からも理解されるように、本体ケース５の裏面側の面よりも、この本体ケース５内に突入配置されているということである。
【００３２】
つまり、すべり防止部１３の外周面の全てを、本体ケース５の裏面側の面よりも、この本体ケース５内に突入配置しているので、すなわち、すべり防止部１３の外周面の全周が、本体ケース５の裏面に沈んだ状態としている。
【００３３】
このため、通常の使用時で、このすべり防止部１３の外周面を単に押した状態では、すべり防止部１３を変形させにくく、よって本体ケース５の凹部１２（装着部）から、すべり防止部１３が不用意に外れることはなく、極めて使い勝手のよいものとなる。
【００３４】
また、本実施形態においては、すべり防止部１３の外周面、具体的には本体部１３ａ、延長部１３ｂとも、本体ケース５の外周方向に傾斜させた状態としている。
【００３５】
このとき、２本の延長部１３ｂはそれぞれ外側辺と、内側辺を有する構造となるが、延長部１３ｂのこれらの外側辺および内側辺とも図３（ａ）〜（ｄ）から理解されるように、その下方を、上方よりは、本体ケース５の外周方向に傾斜させた状態としている。
【００３６】
また、それに合わせて、本体ケース５の凹部１２も、その外周面の下方を、上方よりは、本体ケース５の外周方向に傾斜させた状態としている。
【００３７】
このため、上述したごとく、すべり防止部１３の交換時には、その延長部１３ｂの下端側を本体ケース５の長手方向の中心軸（図３（ａ）の５ａ）方向に、例えば指で押すことになる。
【００３８】
つまり、すべり防止部１３の延長部１３ｂの、これらの外側辺および内側辺とも図３（ａ）〜（ｄ）から理解されるように、その下方を、上方よりは、本体ケース５の外周方向に傾斜させた状態としており、また、本体ケース５の凹部１２も、その外周面の下方を、上方よりは、本体ケース５の外周方向に傾斜させた状態としているので、すべり防止部１３の交換時には、その延長部１３ｂの下端側を本体ケース５の長手方向の中心軸（図３（ａ）の５ａ）方向に、例えば指で押せば、傾斜に沿って、この延長部１３ｂを簡単に取り外すことができるのである。
【００３９】
（実施の形態２）
実施の形態２を、図８ないし図１８（ａ）〜（ｂ）を沿って説明する。実施の形態２の図面では、実施の形態１と同一の要素には、実施の形態１と同一の符号を付す。電話機２Ａは、本体ケース５０を有しており、本体ケース５０は、図８に示すように、前面５０Ａに、レシーバ９、表示部７、キー操作部６、およびマイク８が設けられる。レシーバ９は、電話機２Ａが受信した音声を出力する。表示部７は、ＬＣＤ（Ｌｉｑｕｉｄ  Ｃｒｙｓｔａｌ  Ｄｉｓｐｌａｙ）で構成され、電話機２Ａが受信したデータや、電話機２Ａ内のメモリ（図示せず）に格納されたデータを画像として表示する。キー操作部６は、アルファニューメリックキーとファンクションキーで構成される。マイク８は、送話者の音声を受け付ける。レシーバ９およびマイク８は、それぞれ本体ケース５０の両端（図９の紙面上方と下方）に配置されている。表示部７およびキー操作部６は、レシーバ９およびマイク８の間に配置されている。表示部７は、レシーバ９およびキー操作部６の間に配置されている。
【００４０】
前面５０Ａ（図８参照）と反対側である背面５０Ｂには、図９に示すように、すべり防止部２１、および電源部１０が設けられている。すべり防止部２１は、この背面５０Ｂにおいて、表示部７（図８参照）の反対側に設けられている。
【００４１】
表示部を有する電話機２Ａを肩で挟みこむ場合、一般に、表示部はレシーバとマイクの間に配置されるので、表示部は頬や顎に接しやすい。これに対し、本実施の形態における電話機２Ａでは、すべり防止部２１が、本体ケースの背面５０Ｂにおいて、表示部７の反対側に設けられるので、電話機２Ａを顔全体と肩でしっかり保持することが出来る。これにより、たとえ電話機２Ａが小型化したとしても、電話機２Ａを落下させないようして、通話することが出来る。
【００４２】
図１０は、本体ケース５０の長手方向における中央断面を示している。本体ケース５０は、後述する凹部３０を本体ケースの背面５０Ｂ側（図１０の紙面右方）に有しており、すべり防止部２１は、凹部３０内に収納される。この場合、すべり防止部２１は、背面５０Ｂから突出しないように収納される。
【００４３】
凹部３０は、図１１に示すように、すべり防止部２１と同等の形状をしている。すべり防止部２１は、図９に示すように、すべり防止部２１の外周が、凹部３０の外周と接するように、凹部３０に収納されるので、凹部３０はすべり防止部２１に覆われた状態となる。
【００４４】
凹部３０はまた、その内部に、２つのレール３１、３１、および溝部３２を有している。レール３１、３１は、本体ケース５０の長手方向（図１１の紙面上下方向）に沿って、溝状に形成されている。溝部３２は、レール３１、３１の中央に配置されている。すべり防止部２１は、図１２に示すように、後述する支持部２１ａが凹部３０側に設けられている。
【００４５】
すべり防止部２１は、図１３（ａ）に示すように、プレート２１ｄを有している。プレート２１ｄは、外壁面２１Ａを有している。外壁面２１Ａ上には、押し込み部２１ｃが設けられている。押し込み部２１ｃは、すべり防止部２１を動かす場合に、ユーザが指を配置させてすべり防止部２１を押し込み易いように、凹んでいる。
【００４６】
プレート２１ｄは、図１３（ｂ）に示すように、外壁面２１Ａの裏面側である内壁面２１Ｂを有している。内壁面２１Ｂには、図１３（ｂ）、（ｃ）に示すように、２つの支持部２１ａが設けられている。２つの支持部２１ａは、略三角形状に形成されている。２つの支持部２１ａの間には、ガイド２１ｂが設けられている。
【００４７】
図１４に示す記号Ｋは、後述する、すべり防止部２１の可動方向を示している。支持部２１ａは、外壁面２１Ａから高さＨ１、Ｈ２を有している。高さＨ１は最大高さ、高さＨ２は最小高さを示している。従って、高さＨ１、Ｈ２は異なる高さである。
【００４８】
２つの支持部２１ａ、２１ａはそれぞれ、図１３（ｄ）に示すように、凹部３０内のレール３１、３１に装着される。すべり防止部２１の外壁面２１Ａは、図１３（ｅ）に示すように湾曲している。すべり防止部２１が凹部３０内に収納される。凹部３０は、図１０に示すように、本体ケース５０の背面５０Ｂから外壁面２１Ａが突出しないように形成されている。さらに、外壁面２１Ａは、背面５０Ｂに沿って湾曲しており、すべり防止部２１が凹部３０内に収納されている状態では、ユーザは、すべり防止部２１の突出による違和感なく、通話することが出来る。
【００４９】
すべり防止部２１が凹部３０に装着された状態で、ユーザが、図１５に示す可動方向Ｋに沿って、押し込み部２１ｃを押し込むと、支持部２１ａ、２１ａは、レール３１、３１に沿って動き出す。レール３１、３１は、支持部２１ａ、２１ａと同様の形状に構成されている。このため、支持部２１ａ、２１ａが、可動方向Ｋに向かって移動すると、支持部２１ａ、２１ａの高さＨ１の（最も高い）部分が、レール３１、３１の深い箇所から浅い箇所に移動するので、図１６、１７に示すように、外壁面２１Ａ（図１４参照）が背面５０Ｂより、浮き上がってゆく。
【００５０】
図１８（ａ）、（ｂ）に示すように、レール３１の突起に、支持部２１ａの凹みを嵌合させて、すべり防止部２１を可動自在にするようにしてもよい。
【００５１】
以上のように、本実施の形態では、ユーザが、すべり防止部２１を押し込み操作するだけで、すべり防止部２１を本体ケース５０の背面５０Ｂから浮き上がらせることが出来る。これにより、通話中に方手が塞がっている場合でも、簡易な操作ですべり防止部２１をセッティングすることが出来る。
【００５２】
（実施の形態３）
実施の形態３を、図１９ないし図３０に沿って説明する。実施の形態３の図面では、実施の形態１と同一の要素には、同一の符号を付す。電話機２Ｂは、本体ケース５１を有しており、本体ケース５１は、図１９に示すように、前面５１Ａに、レシーバ９、表示部７、キー操作部６、およびマイク８が設けられる。
【００５３】
前面５１Ａ（図１９参照）と反対側である背面５１Ｂには、図２０に示すように、すべり防止部２２、および電源部１０Ａが設けられている。すべり防止部２２は、この背面５１Ｂにおいて、表示部７（図１９参照）の反対側に設けられている。従って、実施の形態２と同様に、電話機２Ｂを顔全体と肩でしっかり保持することが出来るので、たとえ電話機２Ｂが小型化したとしても、電話機２Ｂを落下させないようにして、通話することが出来る。
【００５４】
本体ケース５１は、図２１、図２３に示すように、凹部４０を背面５１Ｂ側に有している。すべり防止部２２は、凹部４０に収納される。この場合、すべり防止部２２は、背面５１Ｂから突出しないように収納される。
【００５５】
凹部４０は、図２２に示すように、すべり防止部２２と同等の形状をしている。すべり防止部２２は、図２０に示すように、すべり防止部２２の外周が、凹部４０の外周と接するように、凹部４０に収納されるので、凹部４０はすべり防止部２２に覆われた状態となる。凹部４０はまた、その内部に、環状レール４２を有している。環状レール４２の中心には、軸溝４１が設けられている。
【００５６】
すべり防止部２２は、図２４（ａ）に示すように、プレート２２ｅを有している。プレート２２ｅは、外壁面２２Ａを有している。外壁面２２Ａには、２つの押し込み部２２ｄ、２２ｄが設けられている。押し込み部２２ｄは、実施の形態２と同様に、凹んでいる。
【００５７】
プレート２２ｅは、図２４（ｂ）に示すように、外壁面２２Ａの裏面側である内壁面２２Ｂを有している。内壁面２２Ｂには、図２４（ｂ）、（ｃ）に示すように、回転軸２２ｃ、２２ｃが設けられている。内壁面２２Ｂには、図２５に示すように、さらに、回転軸２２ｃ、２２ｃを中心として同心円状に、２つの支持部２２ａ、２２ｂが設けられている。
【００５８】
図２５に示す記号Ｒは、すべり防止部２２の可動方向（後述）を示している。支持部２２ａ、２２ｂはそれぞれ、図２４（ｄ）に示すように、外壁面２２Ａから高さＨ３、Ｈ４を有している。高さはＨ３＞Ｈ４の関係にあり、高さＨ３、Ｈ４は異なる高さである。
【００５９】
２つの支持部２２ａ、２２ｂはそれぞれ、図２４（ｅ）に示すように、凹部４０内の環状レール４２に装着される。同時に、回転軸２２ｃ、２２ｃが軸溝４１に挿入される。すべり防止部２２の外壁面２２Ａは、図２４（ｃ）に示すように湾曲している。凹部４０は、図２１に示すように、本体ケース５１の背面５１Ｂから外壁面２２Ａが突出しないように形成されている。さらに、外壁面２２Ａは、背面５１Ｂの曲率に沿って湾曲しており、すべり防止部２２が凹部４０内に収納されている状態では、ユーザは、すべり防止部２１の突出による違和感なく、通話することが出来る。
【００６０】
ユーザが、図２６に示す可動方向Ｒ１またはＲ２に沿って、押し込み部２２ｄ、２２ｄを押し込むと、支持部２２ａ、２２ｂは、環状レール４２に沿って動き出す。すべり防止部２２が回転軸２２ｃ、２２ｃを中心として回転して、１８０度回転させると、すべり防止部２２が、図２７に示すように反転する。支持部２２ａ、２２ｂが挿入される環状レール４２の深さは、それぞれの高さに対応している。つまり、支持部２２ａが挿入される環状レール４２の深さは、高さＨ３に対応しており、支持部２２ｂが挿入される環状レール４２の深さは、高さＨ４に対応している。すべり防止部２２が１８０度回転すると、支持部２２ａは、高さＨ４に対応する環状レール４２に移動するとともに、支持部２２ｂは、高さＨ３に対応する環状レール４２に移動するので、すべり防止部２２は回転するにつれて、図２８〜３０のように、すべり防止部２２の外壁面２２Ａが、背面５１Ｂより、浮き上がっていく。
【００６１】
以上のように、本実施の形態では、ユーザが、すべり防止部２２を押し込み操作するだけで、すべり防止部２２を本体ケース５１の背面から浮き上がらせることが出来る。これにより、通話中に片手が塞がっている場合でも、簡易な操作ですべり防止部２２をセッティングすることが出来る。
【００６２】
また、実施の形態２と異なり、すべり防止部２２のプレート２２ｅが、図２８の紙面下方に向いて浮き上がっているので、肩へのひっかかりをより確実にすることが出来る。
なお、各実施の形態で説明した電話機２、２Ａ、２Ｂは、コードレス電話などの固定電話、携帯電話のいずれにも利用可能である。
【００６３】
本発明を詳細にまた特定の実施態様を参照して説明したが、本発明の精神と範囲を逸脱することなく様々な変更や修正を加えることができることは当業者にとって明らかである。
本出願は、2009年7月21日出願の日本特許出願No.2009-169889に基づくものであり、その内容はここに参照として取り込まれる。
【産業上の利用可能性】
【００６４】
以上のように本発明は、すべり防止手段に汚れや破損等が発生したときには、その交換が簡単に行えるようになり、コードを有する電話や、コードレス電話や、携帯電話等に適用可能である。
【符号の説明】
【００６５】
１    使用者
２、２Ａ、２Ｂ    電話機
３    耳
４    肩
５、５０、５１    本体ケース
６    キー操作部
７    表示部
８    マイク
９    レシーバ
１０、１０Ａ    電源部
１１    すべり防止手段
１２、１２ａ、３０、４０    凹部
１３、２１、２２    すべり防止部
１３ａ    本体部
１３ｂ    延長部
１３ｃ    突起
１４    湾曲面
１５    レシーバ
２１Ａ、２２Ａ    外壁面
２１Ｂ、２２Ｂ    内壁面
２１ａ    支持部
２１ｂ    ガイド
２１ｃ    押し込み部
２１ｄ    プレート
２２ａ、２２ｂ    支持部
２２ｃ    回転軸
２２ｄ    押し込み部
２２ｅ    プレート
３１    レール
３２    溝部
４１    軸溝
４２    環状レール
５０Ａ、５１Ａ  本体ケースの前面
５０Ｂ、５１Ｂ  本体ケースの背面
【図１】
2011010451.tif 000003
【図２】
2011010451.tif 000004
【図３】
2011010451.tif 000005
【図４】
2011010451.tif 000006
【図５】
2011010451.tif 000007
【図６】
2011010451.tif 000008
【図７】
2011010451.tif 000009
【図８】
2011010451.tif 000010
【図９】
2011010451.tif 000011
【図１０】
2011010451.tif 000012
【図１１】
2011010451.tif 000013
【図１２】
2011010451.tif 000014
【図１３】
2011010451.tif 000015
【図１４】
2011010451.tif 000016
【図１５】
2011010451.tif 000017
【図１６】
2011010451.tif 000018
【図１７】
2011010451.tif 000019
【図１８】
2011010451.tif 000020
【図１９】
2011010451.tif 000021
【図２０】
2011010451.tif 000022
【図２１】
2011010451.tif 000023
【図２２】
2011010451.tif 000024
【図２３】
2011010451.tif 000025
【図２４】
2011010451.tif 000026
【図２５】
2011010451.tif 000027
【図２６】
2011010451.tif 000028
【図２７】
2011010451.tif 000029
【図２８】
2011010451.tif 000030
【図２９】
2011010451.tif 000031
【図３０】
2011010451.tif 000032
【手続補正書】
【提出日】平成23年7月14日(2011.7.14)
【手続補正１】
【補正対象書類名】明細書
【補正対象項目名】全文
【補正方法】変更
【補正の内容】
【発明の詳細な説明】
【技術分野】
【０００１】
本発明は、例えばメモを取るために、耳と肩の間に挟んで使用するときに好適な電話機に関するものである。
【背景技術】
【０００２】
従来の、この種の電話機では、本体ケースの裏面側に、すべり防止手段として、ゴム板を固定したものがある（例えば特許文献１）。
【０００３】
すなわち、本体ケースの裏面側に、ゴム板を固定しておけば、例えばメモを取るために、この本体ケースを耳と肩の間に挟めば、ゴム板の摩擦力により、電話機が落下しにくくなるのである。
【先行技術文献】
【特許文献】
【０００４】
【特許文献１】米国特許第５１１５４６５号明細書
【発明の概要】
【発明が解決しようとする課題】
【０００５】
近年、携帯電話やコードレス電話の子機などの電話機は、小型化の傾向にある。小型の電話機は、一般に表示部が設けられているため、薄型なものが多い。このような電話機では、すべり防止手段を単に本体ケースの裏面側に設けるだけでは、耳と肩で挟み込みにくく、容易に保持できない不都合があった。
【０００６】
そこで本発明は、たとえ電話機が小型化したとしても、電話機を落下させないようして、通話することができることを目的とするものである。
【課題を解決するための手段】
【０００７】
そしてこの目的を達成するために本発明は、音声通話を行う電話機であって、前面および背面を有する本体ケースを備え、前面には、音声の入力を受け付けるレシーバと、音声を出力するマイクと、画像を表示する表示部とが設けられ、背面には、当該電話機の落下を防止するすべり防止部が設けられ、表示部は、レシーバおよびマイクの間に配置され、すべり防止部は、背面において表示部の反対側に配置されている電話機である。
【発明の効果】
【０００８】
以上のように本発明は、すべり防止部が、本体ケースの背面において、表示部の反対側に設けられるので、電話機を顔全体と肩でしっかり保持することが出来る。これにより、たとえ電話機が小型化したとしても、電話機を落下させないようして、通話することができる。
【図面の簡単な説明】
【０００９】
【図１】実施の形態１における電話機の使用状態を示す斜視図
【図２】実施の形態１における電話機の正面図
【図３】（ａ）実施の形態１における電話機の背面図、（ｂ）すべり防止部を取り外した場合の図３（ａ）のＢ−Ｂ線の断面図、（ｃ）すべり防止部を取り付けた場合の図３（ａ）のＢ−Ｂ線の断面図、（ｄ）図３（ｃ）のＤ部分拡大断面図
【図４】実施の形態１における電話機の側断面図（図２のＡ−Ａ線の断面図）
【図５】実施の形態１における、すべり防止部を取り外した場合の電話機の側面図
【図６】実施の形態１における電話機の背面側の斜視図
【図７】（ａ）実施の形態１におけるすべり防止部の正面図、（ｂ）実施の形態１におけるすべり防止部の背面図、（ｃ）実施の形態１におけるすべり防止部の表面側斜視図、（ｄ）実施の形態１におけるすべり防止部の背面側斜視図、（ｅ）図７（ａ）のＥ−Ｅ線の断面図、（ｆ）図７（ｂ）のＦ−Ｆ線の断面図、（ｇ）実施の形態１におけるすべり防止部の側面図
【図８】実施の形態２における電話機の正面図
【図９】実施の形態２における電話機の背面図
【図１０】実施の形態２における電話機の側断面図（図８のＧ−Ｇ線の断面図）
【図１１】実施の形態２における、すべり防止部を取り外した場合の電話機の背面側の斜視図
【図１２】実施の形態２における、すべり防止部を取り外した場合の電話機の側面図
【図１３】（ａ）実施の形態２におけるすべり防止部の正面図、（ｂ）実施の形態２におけるすべり防止部の背面図、（ｃ）実施の形態２におけるすべり防止部の背面側の斜視図、（ｄ）実施の形態２における、凹部に装着したすべり防止部の断面図（図９のＨ−Ｈ線の断面図）、（ｅ）実施の形態２におけるすべり防止部の断面図（図１３（ｂ）のＪ−Ｊ線の断面図）
【図１４】実施の形態２におけるすべり防止部の側断面図（図１３（ｂ）のＴ−Ｔ線の断面図）
【図１５】実施の形態２における、すべり防止部を移動させた場合の電話機の背面側の斜視図
【図１６】実施の形態２における、すべり防止部を移動させた場合の電話機の側面図
【図１７】実施の形態２における、すべり防止部を移動させた場合の電話機の側断面図（図８のＧ−Ｇ線の断面図）
【図１８】（ａ）実施の形態２における電話機の拡大一部抜粋背面図、（ｂ）すべり防止部を移動させた場合の、凹部に装着したすべり防止部の断面図（図１８（ａ）のＬ−Ｌ線の断面図）、およびＴ部の拡大図
【図１９】実施の形態３における電話機の正面図
【図２０】実施の形態３における電話機の背面図
【図２１】実施の形態３における電話機の側断面図（図１９のＭ−Ｍ線の断面図）
【図２２】実施の形態３における、すべり防止部を取り外した場合の電話機の背面側の斜視図
【図２３】実施の形態３における、すべり防止部を取り外した場合の電話機の側面図
【図２４】（ａ）実施の形態３におけるすべり防止部の正面図、（ｂ）実施の形態３におけるすべり防止部の背面図、（ｃ）実施の形態３におけるすべり防止部の断面図（図２４（ｂ）のＰ−Ｐ線の断面図）、（ｄ）実施の形態３におけるすべり防止部の断面図（図２４（ｂ）のＱ−Ｑ線の断面図）、（ｅ）実施の形態３における、凹部に装着したすべり防止部の断面図（図２０のＮ−Ｎ線の断面図）
【図２５】実施の形態３における、すべり防止部の背面側の斜視図
【図２６】実施の形態３における、回転方向を示した電話機の背面図
【図２７】実施の形態３における、すべり防止部を回転させた場合の電話機の背面図
【図２８】実施の形態３における、すべり防止部を回転させた場合の電話機の背面側の斜視図
【図２９】実施の形態３における、すべり防止部を回転させた場合の電話機の側面図
【図３０】実施の形態３における、すべり防止部を回転させた場合の電話機の側断面図（図２７のＳ−Ｓ線の断面図）
【発明を実施するための形態】
【００１０】
以下、本発明の一実施形態を、添付図面を用いて説明する。
（実施の形態１）
【００１１】
図１は、使用者１が、例えばメモを取りながら通話をしている状態を示し、このときには本発明の一実施形態にかかる電話機２を、耳３と肩４の間に挟んで使用している。
【００１２】
電話機２の構造は図２〜図７（ａ）〜（ｇ）に示すような構造となっており、このうち図２、図３（ａ）から理解されるように、本体ケース５は上下方向への略長方形状としている。
【００１３】
そして、この本体ケース５の表面側の下方にはキー操作部６、上方には表示部７、またキー操作部６の下方にはマイク８、表示部７の上方にはレシーバ９がそれぞれ配置されている。
【００１４】
また、長方形状となった本体ケース５の裏面側の下方には電源部１０が設けられ、さらに長方形状となった本体ケース５の裏面側の中心よりも上方には、すべり防止手段１１が設けられ、上述した電話機２を、耳３と肩４の間に挟んで使用している状態では、このすべり防止手段１１が肩４に接した状態となっている。
【００１５】
すべり防止手段１１は、図５、図６のごとく本体ケース５の裏面側に装着部として設けた凹部１２内に、可撓性（一例としてゴム製）のすべり防止部１３を、着脱自在に装着した構成となっている。
【００１６】
ここで先ず本体ケース５の裏面側の形状について説明すると、この本体ケース５の裏面側においては、図４〜図６からも理解されるように、長手方向の中央部分から上方側には、上方ほど表面側に接近し、またこの長手方向に直交する方向も左右方向に進むほど表面側に接近する湾曲面１４が形成されている。
【００１７】
次に、すべり防止部１３は、図６、図７（ａ）〜（ｇ）から理解されるように、下方側に開口がある逆Ｕ字状とすべく、上方側の本体部１３ａと、この本体部１３ａの下端両側から下方に延長した２本の延長部１３ｂとにより構成している。
【００１８】
つまり、この様に逆Ｕ字状とすることで、下端側（１本ごとの延長部１３ｂ）は、上方側（本体部１３ａ）よりも幅を狭くし、これによりすべり防止部１３の取り外しときには、延長部１３ｂを変形させ、容易にすべり防止部１３の取り外しができるようにしている。
【００１９】
また、このように逆Ｕ字状となったすべり防止部１３を装着する上記凹部１２も、図６のごとく逆Ｕ字状となっており、すべり防止部１３の両延長部１３ｂ間に位置する本体ケース５の裏面側には、例えば留守電話再生のためのレシーバ１５を配置している。
【００２０】
以上のような配置関係において、すべり防止部１３の上方側の本体部１３ａの裏面側は本体ケース５への結合手段の配置領域となっており、具体的には図７（ａ）、（ｄ）に示すように、結合手段としての三つの突起１３ｃが、上方が頂点となる三角形状に配置されている。
【００２１】
また、すべり防止部１３の延長部１３ｂは、本体ケース５への結合手段の非配置領域とし、取り外しときの変形が行いやすい状態としている。
【００２２】
さらに、これに対応するように本体ケース５の凹部１２内にも、図６に示すように、結合手段としての三つの凹部１２ａが、上方が頂点となる三角形状に配置されている。
【００２３】
さて、このような構造となったすべり防止部１３は、上述のように凹部１２内に装着され、このときすべり防止部１３の結合手段としての三つの突起１３ｃを、凹部１２内の、結合手段としての三つの凹部１２ａに、突起１３ｃの弾性を利用して押し込み、これにより図３（ａ）〜（ｄ）のごとく装着が完了する。
【００２４】
ここで重要なことは、すべり防止部１３の外周面、具体的には本体部１３ａ、延長部１３ｂとも、その全ての外周面の下端が図３（ａ）〜（ｄ）からも理解されるように、本体ケース５の裏面側の面よりも、この本体ケース５内に突入配置されているということである。
【００２５】
つまり、すべり防止部１３に汚れや破損等が発生したときには、すべり防止部１３の交換を行うことになるが、その交換時には、この交換が簡単に行え、しかもそれ以外の通常使用時には不用意に外れないようにすることが重要となる。
【００２６】
そこで、本実施形態では、可撓性のすべり防止部１３を、凹部１２内に着脱自在に装着している。
【００２７】
このため、すべり防止手段に汚れや破損等が発生したときには、すべり防止部１３の延長部１３ｂの下端側を本体ケース５の長手方向の中心軸（図３（ａ）の５ａ）方向に、例えば指で押せば、その可撓性により、延長部１３ｂが容易に変形し、先ずはこの延長部１３ｂが凹部１２外へと外れる。
【００２８】
そしてこの状態になると、今度は凹部１２外に外れた延長部１３ｂを指でつまんで本体ケース５の外方に引っ張れば、上述したすべり防止部１３の結合手段としての三つの突起１３ｃの弾性変形により、凹部１２内の、結合手段としての三つの凹部１２ａから、簡単に外れ、これにより本体ケース５の凹部１２（装着部）から、すべり防止部１３を簡単に取り外すことができる。
【００２９】
また、新たに装着するすべり防止部１３も、その可撓性を利用し、変形させながら、本体ケース５の凹部１２（装着部）内に簡単に装着することができるが、この装着時には先ず、すべり防止部１３の結合手段としての三つの突起１３ｃを弾性変形させながら、凹部１２内の、結合手段としての三つの凹部１２ａに押し込み結合し、次に延長部１３ｂを凹部１２内に押し込む。
【００３０】
このように、すべり防止部１３に汚れや破損等が発生したときには、このすべり防止部１３の可撓性を利用して、その交換を簡単に行うことができる。
【００３１】
ここで重要なことは、上述したように、すべり防止部１３の外周面、具体的には本体部１３ａ、延長部１３ｂとも、その全ての外周面の下端が図３（ａ）〜（ｄ）からも理解されるように、本体ケース５の裏面側の面よりも、この本体ケース５内に突入配置されているということである。
【００３２】
つまり、すべり防止部１３の外周面の全てを、本体ケース５の裏面側の面よりも、この本体ケース５内に突入配置しているので、すなわち、すべり防止部１３の外周面の全周が、本体ケース５の裏面に沈んだ状態としている。
【００３３】
このため、通常の使用時で、このすべり防止部１３の外周面を単に押した状態では、すべり防止部１３を変形させにくく、よって本体ケース５の凹部１２（装着部）から、すべり防止部１３が不用意に外れることはなく、極めて使い勝手のよいものとなる。
【００３４】
また、本実施形態においては、すべり防止部１３の外周面、具体的には本体部１３ａ、延長部１３ｂとも、本体ケース５の外周方向に傾斜させた状態としている。
【００３５】
このとき、２本の延長部１３ｂはそれぞれ外側辺と、内側辺を有する構造となるが、延長部１３ｂのこれらの外側辺および内側辺とも図３（ａ）〜（ｄ）から理解されるように、その下方を、上方よりは、本体ケース５の外周方向に傾斜させた状態としている。
【００３６】
また、それに合わせて、本体ケース５の凹部１２も、その外周面の下方を、上方よりは、本体ケース５の外周方向に傾斜させた状態としている。
【００３７】
このため、上述したごとく、すべり防止部１３の交換時には、その延長部１３ｂの下端側を本体ケース５の長手方向の中心軸（図３（ａ）の５ａ）方向に、例えば指で押すことになる。
【００３８】
つまり、すべり防止部１３の延長部１３ｂの、これらの外側辺および内側辺とも図３（ａ）〜（ｄ）から理解されるように、その下方を、上方よりは、本体ケース５の外周方向に傾斜させた状態としており、また、本体ケース５の凹部１２も、その外周面の下方を、上方よりは、本体ケース５の外周方向に傾斜させた状態としているので、すべり防止部１３の交換時には、その延長部１３ｂの下端側を本体ケース５の長手方向の中心軸（図３（ａ）の５ａ）方向に、例えば指で押せば、傾斜に沿って、この延長部１３ｂを簡単に取り外すことができるのである。
【００３９】
（実施の形態２）
実施の形態２を、図８ないし図１８（ａ）〜（ｂ）を沿って説明する。実施の形態２の図面では、実施の形態１と同一の要素には、実施の形態１と同一の符号を付す。電話機２Ａは、本体ケース５０を有しており、本体ケース５０は、図８に示すように、前面５０Ａに、レシーバ９、表示部７、キー操作部６、およびマイク８が設けられる。レシーバ９は、電話機２Ａが受信した音声を出力する。表示部７は、ＬＣＤ（Ｌｉｑｕｉｄ  Ｃｒｙｓｔａｌ  Ｄｉｓｐｌａｙ）で構成され、電話機２Ａが受信したデータや、電話機２Ａ内のメモリ（図示せず）に格納されたデータを画像として表示する。キー操作部６は、アルファニューメリックキーとファンクションキーで構成される。マイク８は、送話者の音声を受け付ける。レシーバ９およびマイク８は、それぞれ本体ケース５０の両端（図９の紙面上方と下方）に配置されている。表示部７およびキー操作部６は、レシーバ９およびマイク８の間に配置されている。表示部７は、レシーバ９およびキー操作部６の間に配置されている。
【００４０】
前面５０Ａ（図８参照）と反対側である背面５０Ｂには、図９に示すように、すべり防止部２１、および電源部１０が設けられている。すべり防止部２１は、この背面５０Ｂにおいて、表示部７（図８参照）の反対側に設けられている。
【００４１】
表示部を有する電話機２Ａを肩で挟みこむ場合、一般に、表示部はレシーバとマイクの間に配置されるので、表示部は頬や顎に接しやすい。これに対し、本実施の形態における電話機２Ａでは、すべり防止部２１が、本体ケースの背面５０Ｂにおいて、表示部７の反対側に設けられるので、電話機２Ａを顔全体と肩でしっかり保持することが出来る。これにより、たとえ電話機２Ａが小型化したとしても、電話機２Ａを落下させないようして、通話することが出来る。
【００４２】
図１０は、本体ケース５０の長手方向における中央断面を示している。本体ケース５０は、後述する凹部３０を本体ケースの背面５０Ｂ側（図１０の紙面右方）に有しており、すべり防止部２１は、凹部３０内に収納される。この場合、すべり防止部２１は、背面５０Ｂから突出しないように収納される。
【００４３】
凹部３０は、図１１に示すように、すべり防止部２１と同等の形状をしている。すべり防止部２１は、図９に示すように、すべり防止部２１の外周が、凹部３０の外周と接するように、凹部３０に収納されるので、凹部３０はすべり防止部２１に覆われた状態となる。
【００４４】
凹部３０はまた、その内部に、２つのレール３１、３１、および溝部３２を有している。レール３１、３１は、本体ケース５０の長手方向（図１１の紙面上下方向）に沿って、溝状に形成されている。溝部３２は、レール３１、３１の中央に配置されている。すべり防止部２１は、図１２に示すように、後述する支持部２１ａが凹部３０側に設けられている。
【００４５】
すべり防止部２１は、図１３（ａ）に示すように、プレート２１ｄを有している。プレート２１ｄは、外壁面２１Ａを有している。外壁面２１Ａ上には、押し込み部２１ｃが設けられている。押し込み部２１ｃは、すべり防止部２１を動かす場合に、ユーザが指を配置させてすべり防止部２１を押し込み易いように、凹んでいる。
【００４６】
プレート２１ｄは、図１３（ｂ）に示すように、外壁面２１Ａの裏面側である内壁面２１Ｂを有している。内壁面２１Ｂには、図１３（ｂ）、（ｃ）に示すように、２つの支持部２１ａが設けられている。２つの支持部２１ａは、略三角形状に形成されている。２つの支持部２１ａの間には、ガイド２１ｂが設けられている。
【００４７】
図１４に示す記号Ｋは、後述する、すべり防止部２１の可動方向を示している。支持部２１ａは、外壁面２１Ａから高さＨ１、Ｈ２を有している。高さＨ１は最大高さ、高さＨ２は最小高さを示している。従って、高さＨ１、Ｈ２は異なる高さである。
【００４８】
２つの支持部２１ａ、２１ａはそれぞれ、図１３（ｄ）に示すように、凹部３０内のレール３１、３１に装着される。すべり防止部２１の外壁面２１Ａは、図１３（ｅ）に示すように湾曲している。すべり防止部２１が凹部３０内に収納される。凹部３０は、図１０に示すように、本体ケース５０の背面５０Ｂから外壁面２１Ａが突出しないように形成されている。さらに、外壁面２１Ａは、背面５０Ｂに沿って湾曲しており、すべり防止部２１が凹部３０内に収納されている状態では、ユーザは、すべり防止部２１の突出による違和感なく、通話することが出来る。
【００４９】
すべり防止部２１が凹部３０に装着された状態で、ユーザが、図１５に示す可動方向Ｋに沿って、押し込み部２１ｃを押し込むと、支持部２１ａ、２１ａは、レール３１、３１に沿って動き出す。レール３１、３１は、支持部２１ａ、２１ａと同様の形状に構成されている。このため、支持部２１ａ、２１ａが、可動方向Ｋに向かって移動すると、支持部２１ａ、２１ａの高さＨ１の（最も高い）部分が、レール３１、３１の深い箇所から浅い箇所に移動するので、図１６、１７に示すように、外壁面２１Ａ（図１４参照）が背面５０Ｂより、浮き上がってゆく。
【００５０】
図１８（ａ）、（ｂ）に示すように、レール３１の突起に、支持部２１ａの凹みを嵌合させて、すべり防止部２１を可動自在にするようにしてもよい。
【００５１】
以上のように、本実施の形態では、ユーザが、すべり防止部２１を押し込み操作するだけで、すべり防止部２１を本体ケース５０の背面５０Ｂから浮き上がらせることが出来る。これにより、通話中に方手が塞がっている場合でも、簡易な操作ですべり防止部２１をセッティングすることが出来る。
【００５２】
（実施の形態３）
実施の形態３を、図１９ないし図３０に沿って説明する。実施の形態３の図面では、実施の形態１と同一の要素には、同一の符号を付す。電話機２Ｂは、本体ケース５１を有しており、本体ケース５１は、図１９に示すように、前面５１Ａに、レシーバ９、表示部７、キー操作部６、およびマイク８が設けられる。
【００５３】
前面５１Ａ（図１９参照）と反対側である背面５１Ｂには、図２０に示すように、すべり防止部２２、および電源部１０Ａが設けられている。すべり防止部２２は、この背面５１Ｂにおいて、表示部７（図１９参照）の反対側に設けられている。従って、実施の形態２と同様に、電話機２Ｂを顔全体と肩でしっかり保持することが出来るので、たとえ電話機２Ｂが小型化したとしても、電話機２Ｂを落下させないようにして、通話することが出来る。
【００５４】
本体ケース５１は、図２１、図２３に示すように、凹部４０を背面５１Ｂ側に有している。すべり防止部２２は、凹部４０に収納される。この場合、すべり防止部２２は、背面５１Ｂから突出しないように収納される。
【００５５】
凹部４０は、図２２に示すように、すべり防止部２２と同等の形状をしている。すべり防止部２２は、図２０に示すように、すべり防止部２２の外周が、凹部４０の外周と接するように、凹部４０に収納されるので、凹部４０はすべり防止部２２に覆われた状態となる。凹部４０はまた、その内部に、環状レール４２を有している。環状レール４２の中心には、軸溝４１が設けられている。
【００５６】
すべり防止部２２は、図２４（ａ）に示すように、プレート２２ｅを有している。プレート２２ｅは、外壁面２２Ａを有している。外壁面２２Ａには、２つの押し込み部２２ｄ、２２ｄが設けられている。押し込み部２２ｄは、実施の形態２と同様に、凹んでいる。
【００５７】
プレート２２ｅは、図２４（ｂ）に示すように、外壁面２２Ａの裏面側である内壁面２２Ｂを有している。内壁面２２Ｂには、図２４（ｂ）、（ｃ）に示すように、回転軸２２ｃ、２２ｃが設けられている。内壁面２２Ｂには、図２５に示すように、さらに、回転軸２２ｃ、２２ｃを中心として同心円状に、２つの支持部２２ａ、２２ｂが設けられている。
【００５８】
図２５に示す記号Ｒは、すべり防止部２２の可動方向（後述）を示している。支持部２２ａ、２２ｂはそれぞれ、図２４（ｄ）に示すように、外壁面２２Ａから高さＨ３、Ｈ４を有している。高さはＨ３＞Ｈ４の関係にあり、高さＨ３、Ｈ４は異なる高さである。
【００５９】
２つの支持部２２ａ、２２ｂはそれぞれ、図２４（ｅ）に示すように、凹部４０内の環状レール４２に装着される。同時に、回転軸２２ｃ、２２ｃが軸溝４１に挿入される。すべり防止部２２の外壁面２２Ａは、図２４（ｃ）に示すように湾曲している。凹部４０は、図２１に示すように、本体ケース５１の背面５１Ｂから外壁面２２Ａが突出しないように形成されている。さらに、外壁面２２Ａは、背面５１Ｂの曲率に沿って湾曲しており、すべり防止部２２が凹部４０内に収納されている状態では、ユーザは、すべり防止部２１の突出による違和感なく、通話することが出来る。
【００６０】
ユーザが、図２６に示す可動方向Ｒ１またはＲ２に沿って、押し込み部２２ｄ、２２ｄを押し込むと、支持部２２ａ、２２ｂは、環状レール４２に沿って動き出す。すべり防止部２２が回転軸２２ｃ、２２ｃを中心として回転して、１８０度回転させると、すべり防止部２２が、図２７に示すように反転する。支持部２２ａ、２２ｂが挿入される環状レール４２の深さは、それぞれの高さに対応している。つまり、支持部２２ａが挿入される環状レール４２の深さは、高さＨ３に対応しており、支持部２２ｂが挿入される環状レール４２の深さは、高さＨ４に対応している。すべり防止部２２が１８０度回転すると、支持部２２ａは、高さＨ４に対応する環状レール４２に移動するとともに、支持部２２ｂは、高さＨ３に対応する環状レール４２に移動するので、すべり防止部２２は回転するにつれて、図２８〜３０のように、すべり防止部２２の外壁面２２Ａが、背面５１Ｂより、浮き上がっていく。
【００６１】
以上のように、本実施の形態では、ユーザが、すべり防止部２２を押し込み操作するだけで、すべり防止部２２を本体ケース５１の背面から浮き上がらせることが出来る。これにより、通話中に片手が塞がっている場合でも、簡易な操作ですべり防止部２２をセッティングすることが出来る。
【００６２】
また、実施の形態２と異なり、すべり防止部２２のプレート２２ｅが、図２８の紙面下方に向いて浮き上がっているので、肩へのひっかかりをより確実にすることが出来る。
なお、各実施の形態で説明した電話機２、２Ａ、２Ｂは、コードレス電話などの固定電話、携帯電話のいずれにも利用可能である。
【００６３】
本発明を詳細にまた特定の実施態様を参照して説明したが、本発明の精神と範囲を逸脱することなく様々な変更や修正を加えることができることは当業者にとって明らかである。
本出願は、2009年7月21日出願の日本特許出願No.2009-169889に基づくものであり、その内容はここに参照として取り込まれる。
【産業上の利用可能性】
【００６４】
以上のように本発明は、すべり防止手段に汚れや破損等が発生したときには、その交換が簡単に行えるようになり、コードを有する電話や、コードレス電話や、携帯電話等に適用可能である。
【符号の説明】
【００６５】
１    使用者
２、２Ａ、２Ｂ    電話機
３    耳
４    肩
５、５０、５１    本体ケース
６    キー操作部
７    表示部
８    マイク
９    レシーバ
１０、１０Ａ    電源部
１１    すべり防止手段
１２、１２ａ、３０、４０    凹部
１３、２１、２２    すべり防止部
１３ａ    本体部
１３ｂ    延長部
１３ｃ    突起
１４    湾曲面
１５    レシーバ
２１Ａ、２２Ａ    外壁面
２１Ｂ、２２Ｂ    内壁面
２１ａ    支持部
２１ｂ    ガイド
２１ｃ    押し込み部
２１ｄ    プレート
２２ａ、２２ｂ    支持部
２２ｃ    回転軸
２２ｄ    押し込み部
２２ｅ    プレート
３１    レール
３２    溝部
４１    軸溝
４２    環状レール
５０Ａ、５１Ａ  本体ケースの前面
５０Ｂ、５１Ｂ  本体ケースの背面
【手続補正２】
【補正対象書類名】特許請求の範囲
【補正対象項目名】全文
【補正方法】変更
【補正の内容】
【特許請求の範囲】
【請求項１】
音声通話を行う電話機であって、
前面および背面を有する本体ケースを備え、
前記前面には、音声の入力を受け付けるレシーバと、音声を出力するマイクと、画像を表示する表示部とが設けられ、
前記背面には、当該電話機の落下を防止するすべり防止部が設けられ、
前記表示部は、前記レシーバおよび前記マイクの間に配置され、
前記すべり防止部は、前記背面において前記表示部の反対側に配置されている電話機。
【請求項２】
前記すべり防止部は、前記本体ケースの背面に形成された装着部に、前記すべり防止部を着脱自在に装着した構成としており、当該装着状態において、前記すべり防止部の外周面は、前記本体ケースの背面から、前記本体ケース内に突入するように配置された、請求項１に記載の電話機。
【請求項３】
前記本体ケースの背面に形成された装着部は、凹部状に形成されており、当該凹部内に、前記すべり防止部を装着した請求項２に記載の電話機。
【請求項４】
前記凹部の外周面は、前記本体ケースの外周方向に沿って傾斜している請求項３に記載の電話機。
【請求項５】
前記すべり防止部の外周面は、前記本体ケースの外周方向に沿って傾斜している請求項４に記載の電話機。
【請求項６】
前記本体ケースの背面において、前面側に接近する湾曲面を形成した請求項１ないし５のいずれか１項に記載の電話機。
【請求項７】
前記すべり防止部は、逆Ｕ字状である請求項１ないし６のいずれか１項に記載の電話機。
【請求項８】
前記すべり防止部は、本体部と、前記本体部から延長した２つの延長部とにより逆Ｕ字状に構成され、前記延長部は、前記本体ケースの外周方向に沿って傾斜している請求項７に記載の電話機。
【請求項９】
前記すべり防止部の本体部には、前記本体ケースと結合可能な結合手段が設けられている請求項８に記載の電話機。
【請求項１０】
前記結合手段は、前記本体部のみに設けられている請求項９に記載の電話機。
【請求項１１】
前記本体ケースの背面には、他のレシーバが設けられている請求項８ないし１０のいずれか１項に記載の電話機。
【請求項１２】
前記すべり防止部は、可撓性の部材である請求項１ないし１１のいずれか１項に記載の電話機。
【請求項１３】
前記すべり防止部は、外壁面と、前記外壁面の裏面に設けられた支持部とを有し、
前記本体ケースの背面は、前記すべり防止部を収納し、かつ可動自在に前記すべり防止部の前記支持部を装着する凹部を有し、
前記支持部は、前記すべり防止部の可動方向に沿って前記外壁面から異なる高さを有する請求項１ないし１２のいずれか１項に記載の電話機。
【請求項１４】
前記凹部は、前記本体ケースの背面から前記外壁面が突出しないように前記すべり防止部を収納する請求項１３に記載の電話機。
【請求項１５】
前記凹部は、前記すべり防止部が直線移動自在になるように、前記支持部を装着する請求項１３または１４に記載の電話機。
【請求項１６】
前記凹部は、前記支持部を装着するレールを有する請求項１５に記載の電話機。
【請求項１７】
前記凹部は、前記すべり防止部が回動自在になるように、前記支持部を装着する請求項１３または１４に記載の電話機。
【請求項１８】
前記すべり防止部は、前記外壁面の裏面に設けられた回転軸を有する請求項１７記載の電話機。
【手続補正３】
【補正対象書類名】図面
【補正対象項目名】全図
【補正方法】変更
【補正の内容】
【図１】
2011010451.tif 000033
【図２】
2011010451.tif 000034
【図３】
2011010451.tif 000035
【図４】
2011010451.tif 000036
【図５】
2011010451.tif 000037
【図６】
2011010451.tif 000038
【図７】
2011010451.tif 000039
【図８】
2011010451.tif 000040
【図９】
2011010451.tif 000041
【図１０】
2011010451.tif 000042
【図１１】
2011010451.tif 000043
【図１２】
2011010451.tif 000044
【図１３】
2011010451.tif 000045
【図１４】
2011010451.tif 000046
【図１５】
2011010451.tif 000047
【図１６】
2011010451.tif 000048
【図１７】
2011010451.tif 000049
【図１８】
2011010451.tif 000050
【図１９】
2011010451.tif 000051
【図２０】
2011010451.tif 000052
【図２１】
2011010451.tif 000053
【図２２】
2011010451.tif 000054
【図２３】
2011010451.tif 000055
【図２４】
2011010451.tif 000056
【図２５】
2011010451.tif 000057
【図２６】
2011010451.tif 000058
【図２７】
2011010451.tif 000059
【図２８】
2011010451.tif 000060
【図２９】
2011010451.tif 000061
【図３０】
2011010451.tif 000062
【国際調査報告】
2011010451.tif 000063
2011010451.tif 000064
2011010451.tif 000065
2011010451.tif 000066